(57)【要約】【課題】吸水性を高めることができると共に髪を拭きやすくすることができる髪拭きタオルを提供する。【解決手段】一実施形態に係る髪拭きタオルは、第１面３１と、第１面３１の反対側を向く第２面３２と有する髪拭きタオルであって、第１面３１は、第１面３１の面外方向に突出する複数の糸Ｔ１によって形成された線状の複数の第１パイル部４１を有し、第２面３２は、第２面３２の面外方向に突出する複数の糸Ｔ２によって形成された複数の第２パイル部４２を有し、複数の第１パイル部４１は、第１面３１においてストライプ状とされており、複数の第２パイル部４２は、第２面３２においてストライプ状とされており、第１パイル部４１の幅は、第２パイル部４２の幅よりも広く、第１パイル部４１を形成する複数の糸Ｔ１のそれぞれの突出長さは、第２パイル部４２を形成する複数の糸Ｔ２のそれぞれの突出長さよりも長い。【選択図】図３
2020174746.tif 000002
【特許請求の範囲】
【請求項１】
第１面と、前記第１面の反対側を向く第２面とを有する髪拭きタオルであって、
前記第１面は、前記第１面の面外方向に突出する複数の糸によって形成された線状の複数の第１パイル部を有し、
前記第２面は、前記第２面の面外方向に突出する複数の糸によって形成された線状の複数の第２パイル部を有し、
前記複数の第１パイル部は、前記第１面においてストライプ状とされており、
前記複数の第２パイル部は、前記第２面においてストライプ状とされており、
前記第１パイル部の幅は、前記第２パイル部の幅よりも広く、
前記第１パイル部を形成する複数の糸のそれぞれの突出長さは、前記第２パイル部を形成する複数の糸のそれぞれの突出長さよりも長い、
髪拭きタオル。
【請求項２】
前記髪拭きタオルの中央を含む中央部と、
前記中央部の両端のそれぞれに設けられる端部と、
を備え、
前記中央部及び前記端部は、前記髪拭きタオルの長手方向に沿って並んでおり、
前記中央部及び前記端部のそれぞれは、前記第１面及び前記第２面を有し、
各前記端部の前記第１パイル部の幅は、前記中央部の前記第１パイル部の幅よりも広い、
請求項１に記載の髪拭きタオル。
【請求項３】
前記髪拭きタオルの中央を含む中央部と、
前記中央部の両端のそれぞれに設けられる端部と、
を備え、
前記中央部及び前記端部は、前記髪拭きタオルの長手方向に沿って並んでおり、
前記中央部及び前記端部のそれぞれは、前記第１面及び前記第２面を有し、
前記中央部の前記複数の第１パイル部は、前記中央を通ると共に前記髪拭きタオルの幅方向に延びる基準線に対して対称となるように配置されており、
前記中央部の前記複数の第１パイル部は、前記長手方向及び前記幅方向の双方に対して傾斜する方向に延在している、
請求項１又は２に記載の髪拭きタオル。
【発明の詳細な説明】
【技術分野】
【０００１】
本開示は、使用者の髪の毛を拭く髪拭きタオルに関する。
【背景技術】
【０００２】
従来から、女性等の長髪の使用者の髪の毛を拭くための髪拭きタオルとしては種々のものが知られている。特開２０１６−４３２２３号公報には、髪用タオルが記載されている。髪用タオルは、平坦状のタオルと、タオルの表面に結び目を介して結ばれた複数の糸とを備える。
【０００３】
複数の糸はタオルの表面において一定間隔毎に設けられており、複数の糸のそれぞれはタオルの表面から突出している。複数の糸のそれぞれ及び結び目は、タオルの表面から突出する突起状とされている。この髪用タオルで髪を拭くと突起状とされた結び目と糸とが髪の奥まで入り込み、髪の奥まで入り込んだ突起状の結び目と糸により、髪の根元及び頭皮上の水分の吸水性の向上を図っている。
【０００４】
特開２０１１−３０９９６号公報には、ヘアドライタオルが記載されている。ヘアドライタオルは、使用者の頭頂部から毛先に延びるように巻き付けられる。このヘアドライタオルは、使用者の頭部に載せられる中央部と、中央部の両端側のそれぞれに位置する毛先巻き付け部とを備える。
【０００５】
中央部及び毛先巻き付け部は、ヘアドライタオルの長手方向に並んでいる。中央部の幅は毛先巻き付け部よりも太く、毛先巻き付け部の太さは中央部から離れるにつれて太くなっている。よって、毛先巻き付け部と中央部との境目部分が細くなっているので、毛先に毛先巻き付け部を巻き付けやすい形状とされている。
【先行技術文献】
【特許文献】
【０００６】
【特許文献１】特開２０１６−４３２２３号公報
【特許文献２】特開２０１１−３０９９６号公報
【発明の概要】
【発明が解決しようとする課題】
【０００７】
前述した髪拭きタオルは、タオルの表面に複数の糸が突起状に配置されており、突起状とされた部分で使用者の髪の水分が拭き取られる。しかしながら、この髪拭きタオルでは、突起状の複数の糸が設けられているだけであるため、吸水性の点で改善の余地がある。また、タオルの突起状の複数の糸が配置された表面の反対側の裏面は平坦状とされている。よって、平坦状の裏面に指を当てて髪を拭くことになるので、髪を拭いているときに当該裏面から指がずれて拭きにくいことがある。従って、髪の拭きやすさの点でも改善の余地がある。
【０００８】
前述したヘアドライタオルは、螺旋状に使用者の髪に巻き付けることが可能である。しかしながら、このヘアドライタオルは、平坦状とされているため、前述した髪拭きタオルと同様、吸水性及び髪の拭きやすさの点で改善の余地がある。髪拭きタオルの吸水性が低い場合、髪を拭いているときに髪のキューティクルが剥がれやすくなる可能性がある。また、特に長髪の使用者の髪を拭くときには、髪のボリュームが多いため、ボリュームが多い髪を効率よく拭くことが求められる。従って、髪拭きタオルにおいては、高い吸水性を備えると共に拭きやすいことが求められる。
【０００９】
本開示は、吸水性を高めることができると共に髪を拭きやすくすることができる髪拭きタオルを提供することを目的とする。
【課題を解決するための手段】
【００１０】
本開示に係る髪拭きタオルは、第１面と、第１面の反対側を向く第２面とを有する髪拭きタオルであって、第１面は、第１面の面外方向に突出する複数の糸によって形成された線状の複数の第１パイル部を有し、第２面は、第２面の面外方向に突出する複数の糸によって形成された線状の複数の第２パイル部を有し、複数の第１パイル部は、第１面においてストライプ状とされており、複数の第２パイル部は、第２面においてストライプ状とされており、第１パイル部の幅は、第２パイル部の幅よりも広く、第１パイル部を形成する複数の糸のそれぞれの突出長さは、第２パイル部を形成する複数の糸のそれぞれの突出長さよりも長い。
【００１１】
この髪拭きタオルは、第１面と、第１面の反対側を向く第２面とを有し、第１面及び第２面のそれぞれには線状とされた複数の第１パイル部、及び複数の第２パイル部のそれぞれが形成されている。第１パイル部及び第２パイル部のそれぞれは、第１面及び第２面のそれぞれにおいてストライプ状とされている。従って、２つの第１パイル部の間にパイル部が存在しない部分が設けられ、２つの第２パイル部の間にもパイル部が存在しない部分が設けられる。従って、第１面及び第２面のそれぞれにおいて、パイル部が存在しない凹状とされた部分もストライプ状に形成される。よって、２つのパイル部の間において凹状とされたパイル部が存在しない部分に指を入れて髪を拭くことにより、ストライプ状とされたパイル部の間に指が入り込んだ状態で髪を拭くことができるので、髪を拭いているときに指をずれにくくすることができる。従って、髪を拭きやすくすることができる。また、線状とされた第１パイル部の幅は、線状とされた第２パイル部の幅よりも広く、且つ第１パイル部を構成する糸の突出長さは第２パイル部を構成する糸の突出長さよりも長い。従って、第１パイル部を髪に当てて第２パイル部を指で押さえて髪を拭くことにより、第２パイル部よりもボリュームが多い第１パイル部で髪を拭くことができるので、吸水性を高めることができる。また、２つの第２パイル部の間のパイル部が存在しない部分に指を入れて第１面を髪に当て、第１面の第１パイル部で髪を拭くことにより、吸水性を高めつつ拭きやすい髪拭きタオルとすることができる。
【００１２】
前述した髪拭きタオルは、髪拭きタオルの中央を含む中央部と、中央部の両端のそれぞれに設けられる端部と、を備え、中央部及び端部は、髪拭きタオルの長手方向に沿って並んでおり、中央部及び端部のそれぞれは、第１面及び第２面を有し、各端部の第１パイル部の幅は、中央部の第１パイル部の幅よりも広くてもよい。この場合、中央部の第１パイル部の幅と比較して、端部の第１パイル部の幅の方が広い。また、この髪拭きタオルでは、中央部を頭頂部に載せて中央部の第１パイル部で頭頂部の髪を拭きつつ、端部の第１パイル部で毛先を拭くことができる。そして、毛先に位置する端部の第１パイル部が頭頂部に位置する中央部の第１パイル部より幅広であることにより、端部の第１パイル部の方が糸のボリュームが多いので、端部の第１パイル部で毛先を握ることによって毛先の水分をより確実に且つ効率よく吸水することができる。従って、水分が残りやすい毛先を端部の第１パイル部で確実且つ効率よく吸水できるので、より拭きやすく且つ吸水性が高い髪拭きタオルとすることができる。
【００１３】
前述した髪拭きタオルは、髪拭きタオルの中央を含む中央部と、中央部の両端のそれぞれに設けられる端部と、を備え、中央部及び端部は、髪拭きタオルの長手方向に沿って並んでおり、中央部及び端部のそれぞれは、第１面及び第２面を有し、中央部の複数の第１パイル部は、中央を通ると共に髪拭きタオルの幅方向に延びる基準線に対して対称となるように配置されており、中央部の複数の第１パイル部は、長手方向及び幅方向の双方に対して傾斜する方向に延在していてもよい。この場合、中央部を頭頂部に載せて中央部の第１パイル部で髪を拭くときに、ストライプ状とされた第１パイル部、及び第１パイル部の反対側に位置する第２パイル部のそれぞれは、髪が延びる方向に交差する方向に延在する。従って、ストライプ状とされた第２パイル部の間に指を入れて髪を拭くときに髪が延びる方向に髪拭きタオルを移動させやすく且つ指をずれにくくすることができる。その結果、頭頂部から延びる髪を効率よく拭くことができるので、一層髪を拭きやすい髪拭きタオルとすることができる。
【発明の効果】
【００１４】
本開示によれば、吸水性を高めることができると共に髪を拭きやすくすることができる。
【図面の簡単な説明】
【００１５】
【図１】図１は、実施形態に係る髪拭きタオルの中央部の第１面、及び各端部の第２面を示す平面図である。
【図２】図２は、図１の髪拭きタオルの中央部の第２面、及び各端部の第１面を示す平面図である。
【図３】図３（ａ）、図３（ｂ）、図３（ｃ）及び図３（ｄ）は、それぞれ、髪拭きタオルの中央部の第１パイル部、当該中央部の第２パイル部、髪拭きタオルの端部の第１パイル部、及び当該端部の第２パイル部を示す模式的な平面図と側面図である。
【図４】図４は、図１の髪拭きタオルによって髪の毛を拭く方法の例を示す図である。
【図５】図５は、実施例に係る髪拭きタオルの実験装置を模式的に示す断面図である。
【発明を実施するための形態】
【００１６】
以下では、図面を参照しながら本開示に係る髪拭きタオルの実施形態について説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１７】
図１は、本実施形態に係る髪拭きタオル１を示す平面図である。図２は、図１の反対側から髪拭きタオル１を見た平面図である。図１及び図２に示されるように、髪拭きタオル１は、長方形状とされており、長手方向Ｄ１に延びる一対の長辺２と、幅方向Ｄ２に延びる一対の短辺３とを有する。各長辺２の長さＬ１は、例えば、７０ｃｍ以上且つ１２０ｃｍ以下であり、各短辺３の長さ（髪拭きタオル１の幅Ｗ１）は、３０ｃｍ以上且つ４０ｃｍ以下である。但し、長さＬ１及び幅Ｗ１の値は適宜変更可能である。
【００１８】
髪拭きタオル１は、中央部１０と、中央部１０の長手方向Ｄ１の両端のそれぞれに位置する端部２０とを有する。一対の端部２０のうちの一方、中央部１０、及び一対の端部２０のうちの他方は、この順で長手方向Ｄ１に沿って並んでいる。一対の端部２０は、例えば、髪拭きタオル１の中央Ｃを通り且つ幅方向Ｄ２に延びる基準線Ａに対して対称とされている。
【００１９】
中央部１０及び端部２０のそれぞれは、例えば、長方形状とされている。一例として、中央部１０の長手方向Ｄ１の長さＬ２は３５ｃｍ以上且つ４５ｃｍ以下であり、各端部２０の長手方向Ｄ１の長さＬ３は１５ｃｍ以上且つ４５ｃｍ以下である。但し、長さＬ２及び長さＬ３の値は適宜変更可能である。
【００２０】
中央部１０及び端部２０のそれぞれは、第１面３１と、第１面３１の反対側を向く第２面３２とを有する。例えば、第１面３１は使用者Ｍ（図４参照）の髪Ｍ１を拭く髪拭き面に相当し、第２面３２は使用者Ｍの指Ｍ２が当てられる指当て面に相当する。髪拭きタオル１の一方側の面（図１に示される面）には、一方の端部２０の第２面３２、中央部１０の第１面３１、及び他方の端部２０の第２面３２がこの順で長手方向Ｄ１に沿って並んでいる。髪拭きタオル１の他方側の面（図２に示される面）には、一方の端部２０の第１面３１、中央部１０の第２面３２、及び他方の端部２０の第１面３１がこの順で長手方向Ｄ１に沿って並んでいる。
【００２１】
中央部１０の第１面３１には線状に延びる複数の第１パイル部４１が形成されており、中央部１０の第２面３２には線状に延びる複数の第２パイル部４２が形成されている。本明細書において「パイル部」とは、布地から輪状に突出する複数の糸の集合体を示している。第１パイル部４１及び第２パイル部４２は、共にストライプ状とされている。第１パイル部４１の幅Ｗ３は第２パイル部４２の幅Ｗ４よりも広い。
【００２２】
複数の第１パイル部４１及び複数の第２パイル部４２は、例えば、基準線Ａに対して対称となるように配置されている。また、第１パイル部４１及び第２パイル部４２のそれぞれは、長手方向Ｄ１及び幅方向Ｄ２の双方に対して傾斜する方向に延びている。長手方向Ｄ１に対する第１パイル部４１の延在方向の角度は、例えば、３０°以上且つ６０°以下（一例として４５°）であり、長手方向Ｄ１に対する第２パイル部４２の延在方向の角度も例えば同様である。
【００２３】
中央部１０の複数の第１パイル部４１は、例えば、一対の長辺２の一方の辺２ａから中央部１０と端部２０との境界部Ｂに延びている。辺２ａは、長手方向Ｄ１の両端側に斜めに延び出す各第１パイル部４１（第２パイル部４２）の始点が位置する辺である。また、複数の第１パイル部４１は、互いに平行に延びていてもよい。
【００２４】
基準線Ａから見て一方側に位置する複数の第１パイル部４１と、基準線Ａから見て他方側に位置する複数の第１パイル部４１とは互いに対称とされている。また、一対の第１パイル部４１の間に位置する基準線Ａの部分は、パイル部が存在しない平坦部（凹部）とされている。
【００２５】
中央部１０の複数の第２パイル部４２は、上記の第１パイル部４１と同様、一方の辺２ａから境界部Ｂに延びており、複数の第２パイル部４２は互いに平行に延びていてもよい。基準線Ａから見て一方側に位置する複数の第２パイル部４２と、基準線Ａから見て他方側に位置する複数の第２パイル部４２とは互いに対称とされている。一対の第２パイル部４２の間に位置する基準線Ａの部分は、各第２パイル部４２に連続するパイル部とされており、パイル部が存在しない部分４３に対して突出している。
【００２６】
前述したように、一対の端部２０は、例えば、基準線Ａに対して互いに対称とされている。端部２０の第１面３１には、線状に延びる複数の第１パイル部５１が形成されており、端部２０の第２面３２には、線状に延びる複数の第２パイル部５２が形成されている。各第１パイル部５１は各第２パイル部４２に交差する方向に延びており、例えば、第１パイル部５１と第２パイル部４２との成す角の角度は６０°以上且つ１２０°以下（一例として９０°）であってもよい。
【００２７】
各第２パイル部５２は各第１パイル部４１に交差する方向に延びており、例えば、各第２パイル部５２と各第１パイル部４１との成す角の角度は６０°以上且つ１２０°以下（一例として９０°）であってもよい。第１パイル部５１及び第２パイル部５２は、共にストライプ状とされている。第１パイル部５１の幅Ｗ５は第２パイル部５２の幅Ｗ６よりも広い。
【００２８】
複数の第１パイル部５１及び複数の第２パイル部５２は、例えば、基準線Ａに対して互いに対称となるように配置されている。第１パイル部５１及び第２パイル部５２のそれぞれは、長手方向Ｄ１及び幅方向Ｄ２の双方に対して傾斜する方向に延びている。長手方向Ｄ１に対する第１パイル部５１の角度は、例えば、３０°以上且つ６０°以下（一例として４５°）であり、長手方向Ｄ１に対する第２パイル部５２の角度も例えば同様である。
【００２９】
各端部２０の複数の第１パイル部５１は、例えば、一対の長辺２のうち他方の辺２ｂ、及び境界部Ｂのいずれかから各短辺３に延びている。辺２ｂは、長手方向Ｄ１の両端側に斜めに延び出す各第１パイル部５１（第２パイル部５２）の始点が位置する辺である。また、複数の第１パイル部５１は、互いに平行に延びていてもよい。長手方向Ｄ１の一方側に位置する複数の第１パイル部５１と、長手方向Ｄ１の他方側に位置する複数の第１パイル部５１とは互いに対称とされている。また、各第１パイル部５１が繋がる境界部Ｂの部分は、各第１パイル部５１に連続するパイル部とされている。
【００３０】
端部２０の複数の第２パイル部５２は、第１パイル部５１と同様、他方の辺２ｂ及び境界部Ｂのいずれかから各短辺３に延びており、複数の第２パイル部５２が互いに平行に延びていてもよい。長手方向Ｄ１の一方側に位置する複数の第２パイル部５２と、長手方向Ｄ１の他方側に位置する複数の第２パイル部５２とは互いに対称とされている。そして、各第２パイル部５２が繋がる境界部Ｂの部分は、パイル部が存在しない平坦部（凹部）とされている。
【００３１】
図３（ａ）、図３（ｂ）、図３（ｃ）及び図３（ｄ）は、それぞれ、中央部１０の第１面３１の第１パイル部４１、中央部１０の第２面３２の第２パイル部４２、端部２０の第１面３１の第１パイル部５１、及び端部２０の第２面３２の第２パイル部５２を示す図である。
【００３２】
図１、図２及び図３（ａ）〜図３（ｄ）に示されるように、中央部１０の第１パイル部４１、中央部１０の第２パイル部４２、端部２０の第１パイル部５１、及び端部２０の第２パイル部５２を比較すると、幅に関しては、第１パイル部５１の幅Ｗ５が最も広く、第１パイル部４１の幅Ｗ３が次に広く、第２パイル部５２の幅Ｗ６が３番目に広く、第２パイル部４２の幅Ｗ４が最も狭い。
【００３３】
中央部１０の第１パイル部４１を形成する複数の糸Ｔ１のそれぞれの突出長さは、中央部１０の第２パイル部４２を形成する複数の糸Ｔ２のそれぞれの突出長さよりも長い。端部２０の第１パイル部５１を形成する複数の糸Ｔ３のそれぞれの突出長さは、端部２０の第２パイル部５２を形成する複数の糸Ｔ４のそれぞれの突出長さよりも長い。糸Ｔ１及び糸Ｔ３のそれぞれは、中央部１０及び端部２０のそれぞれの第１面３１から面外方向に突出する。糸Ｔ２及び糸Ｔ４のそれぞれは、中央部１０及び端部２０のそれぞれの第２面３２から面外方向に突出している。
【００３４】
また、各糸Ｔ１の長さと各糸Ｔ３の長さとは互いに同一であってもよいし互いに異なっていてもよい。各糸Ｔ２の長さと各糸Ｔ４の長さについても、互いに同一であってもよいし互いに異なっていてもよい。糸Ｔ１、糸Ｔ２、糸Ｔ３及び糸Ｔ４は、例えば、綿又はコットンによって構成されている。
【００３５】
以上のように構成された髪拭きタオル１を用いて使用者Ｍの髪Ｍ１を拭く方法の例について図１、図２及び図４を参照しながら説明する。なお、後述する髪Ｍ１を拭く方法は、一例であって、下記の方法に限られず適宜変更可能である。まず、図１に示される髪拭きタオル１の面を下に向けて図２に示される髪拭きタオル１の面を上に向けて、基準線Ａの位置を使用者Ｍの頭頂部の中央に合わせつつ、使用者Ｍの頭の上に髪拭きタオル１を載せる。このとき、辺２ａが使用者Ｍの前側、辺２ｂが使用者Ｍの後側に向くように髪拭きタオル１を載せる。
【００３６】
上記のように使用者Ｍの頭に髪拭きタオル１を載せると、中央部１０の第１パイル部４１が使用者Ｍの頭部に載せられる。そして、中央部１０の第２パイル部４２を指Ｍ２で押さえて使用者Ｍの頭頂部の髪Ｍ１を第１パイル部４１によって拭くことが可能となる。このとき、２本の第２パイル部４２の間に形成されたパイル部が存在しない部分４３に指Ｍ２を入れることによって、拭いているときに指Ｍ２をずれにくくすることが可能となる。
【００３７】
また、辺２ａを前に向けて髪拭きタオル１を使用者Ｍの頭部に載せることにより、各第２パイル部４２（パイル部が存在しない部分４３）が頭部の中央から離れる方向に延びるので、指Ｍ２をパイル部が存在しない部分４３に入れて髪Ｍ１を拭きやすくすることが可能である。更に、使用者Ｍの側頭部では第２パイル部４２（パイル部が存在しない部分４３）が水平方向に近い方向に延びるので、使用者Ｍの側頭部の髪を拭きやすくすることも可能である。
【００３８】
使用者Ｍの頭頂部及び側頭部の髪Ｍ１を拭いた後には、例えば、髪拭きタオル１を使用者Ｍの肩の辺りに下ろして、髪拭きタオル１の各端部２０の第１パイル部５１を髪Ｍ１の毛先に当てて毛先を端部２０で包み、端部２０を絞って毛先の水分を第１パイル部５１で吸水する。このとき、中央部１０の第２パイル部４２の隣接位置に端部２０の第１パイル部５１が設けられるので、髪拭きタオル１を裏返す必要なくそのまま第１パイル部５１を毛先に当てることが可能となる。
【００３９】
第１パイル部５１は、第２パイル部５２と比較して、幅Ｗ５が広く且つ糸Ｔ３が長いので、第１パイル部５１を毛先に当てることによって毛先の水分をより効果的に吸水することが可能である。以上のように、毛先の水分を吸水した後に、例えばドライヤーで髪Ｍ１を乾かして髪Ｍ１を拭く一連の工程を終了する。
【００４０】
次に、本実施形態に係る髪拭きタオル１から得られる作用効果について説明する。髪拭きタオル１は、第１面３１と、第１面３１の反対側を向く第２面３２とを有し、第１面３１及び第２面３２のそれぞれには線状とされた複数の第１パイル部４１、及び複数の第２パイル部４２のそれぞれが形成されている。第１パイル部４１及び第２パイル部４２のそれぞれは、第１面３１及び第２面３２のそれぞれにおいてストライプ状とされている。従って、２つの第１パイル部４１の間にパイル部が存在しない部分が設けられ、２つの第２パイル部４２の間にもパイル部が存在しない部分が設けられる。
【００４１】
従って、第１面３１及び第２面３２のそれぞれにおいて、パイル部が存在しない凹状とされた部分もストライプ状に形成される。よって、２つのパイル部の間において凹状とされたパイル部が存在しない部分に指Ｍ２を入れて髪Ｍ１を拭くことにより、ストライプ状とされたパイル部の間に指Ｍ２が入り込んだ状態で髪Ｍ１を拭くことができるので、髪Ｍ１を拭いているときに指Ｍ２をずれにくくすることができる。従って、髪Ｍ１を吹きやすくすることができる。
【００４２】
また、線状とされた第１パイル部４１の幅Ｗ３は、線状とされた第２パイル部４２の幅Ｗ４よりも広く、且つ第１パイル部４１を構成する糸Ｔ１の突出長さは第２パイル部４２を構成する糸Ｔ２の突出長さよりも長い。従って、第１パイル部４１を髪Ｍ１に当てて第２パイル部４２を指Ｍ２で押さえて髪Ｍ１を拭くことにより、第２パイル部４２よりもボリュームが多い第１パイル部４１で髪Ｍ１を拭くことができるので、吸水性を高めることができる。
【００４３】
従って、２つの第２パイル部４２の間のパイル部が存在しない部分４３に指Ｍ２を入れて第１面３１を髪Ｍ１に当て、第１面３１の第１パイル部４１で髪Ｍ１を拭くことにより、吸水性を高めつつ吹きやすい髪拭きタオル１とすることができる。なお、第１パイル部５１及び第２パイル部５２についても、第１パイル部４１及び第２パイル部４２と同様の作用効果が得られる。
【００４４】
本実施形態に係る髪拭きタオル１は、髪拭きタオル１の中央Ｃを含む中央部１０と、中央部１０の両端のそれぞれに設けられる端部２０と、を備え、中央部１０及び端部２０は、髪拭きタオル１の長手方向Ｄ１に沿って並んでおり、中央部１０及び端部２０のそれぞれは、第１面３１及び第２面３２を有し、各端部２０の第１パイル部５１の幅Ｗ５は、中央部１０の第１パイル部４１の幅Ｗ３よりも広い。すなわち、中央部１０の第１パイル部４１と比較して、端部２０の第１パイル部５１の幅Ｗ５の方が広い。
【００４５】
また、髪拭きタオル１では、中央部１０を頭頂部に載せて中央部１０の第１パイル部４１で頭頂部の髪Ｍ１を拭きつつ、端部２０の第１パイル部５１で毛先を拭くことができる。そして、毛先に位置する端部２０の第１パイル部５１が頭頂部に位置する中央部１０の第１パイル部４１よりも幅広であることにより、端部２０の第１パイル部５１の方が糸Ｔ３のボリュームが多いので、端部２０の第１パイル部５１で毛先を握ることによって毛先の水分をより確実に且つ効率よく吸水することができる。従って、水分が残りやすい毛先を端部２０の第１パイル部５１で確実且つ効率よく吸水できるので、より拭きやすく且つ吸水性が高い髪拭きタオル１とすることができる。
【００４６】
髪拭きタオル１は、髪拭きタオル１の中央Ｃを含む中央部１０と、中央部１０の両端のそれぞれに設けられる端部２０と、を備え、中央部１０及び端部２０は、髪拭きタオル１の長手方向Ｄ１に沿って並んでおり、中央部１０及び端部２０のそれぞれは、第１面３１及び第２面３２を有し、中央部１０の複数の第１パイル部４１は、中央Ｃを通ると共に髪拭きタオル１の幅方向Ｄ２に延びる基準線Ａに対して対称となるように配置されており、中央部１０の複数の第１パイル部４１は、長手方向Ｄ１及び幅方向Ｄ２の双方に対して傾斜する方向に延在している。
【００４７】
よって、中央部１０を頭頂部に載せて中央部１０の第１パイル部４１で髪Ｍ１を拭くときに、ストライプ状とされた第１パイル部４１、及び第１パイル部４１の反対側に位置する第２パイル部４２のそれぞれは、髪Ｍ１が延びる方向（例えば鉛直方向）に交差する方向（例えば水平方向）に延在する。従って、ストライプ状とされた第２パイル部４２の間の部分４３に指Ｍ２を入れて髪Ｍ１を拭くときに髪Ｍ１が延びる方向に髪拭きタオル１を移動させやすく且つ指Ｍ２をずれにくくすることができる。その結果、頭頂部から延びる髪Ｍ１を効率よく拭くことができるので、一層髪Ｍ１を拭きやすい髪拭きタオル１とすることができる。
【００４８】
以上、本開示に係る髪拭きタオルの実施形態について説明した。しかしながら、本発明は、前述の実施形態に限定されるものではなく、各請求項に記載した要旨を変更しない範囲において変形し、又は他のものに適用したものであってもよい。すなわち、本開示に係る髪拭きタオルの各部の形状、大きさ、材料、数及び配置態様は前述の実施形態のものに限られず適宜変更可能である。
【００４９】
例えば、前述の実施形態では、一方側の面（図１に示される面）に、一方の端部２０の第２面３２、中央部１０の第１面３１、及び他方の端部２０の第２面３２がこの順で並び、他方側の面（図２に示される面）に、一方の端部２０の第１面３１、中央部１０の第２面３２、及び他方の端部２０の第１面３１がこの順で並ぶ髪拭きタオル１について説明した。この場合、頭頂部を拭いた後に髪拭きタオル１を裏返す必要なくそのまま第１パイル部５１を毛先に当てることができる。
【００５０】
しかしながら、髪拭きタオル１の各面における第１面３１及び第２面３２の並び順は適宜変更可能である。例えば、一方側の面に、一方の端部２０の第１面３１、中央部１０の第１面３１、及び他方の端部２０の第１面３１がこの順で並び、他方側の面に、一方の端部２０の第２面３２、中央部１０の第２面３２、及び他方の端部２０の第２面３２がこの順で並ぶ髪拭きタオルであってもよい。
【００５１】
また、前述の実施形態では、境界部Ｂは各第１パイル部５１に連続するパイル部であって、且つ各第２パイル部５２が繋がる境界部Ｂの部分はパイル部が存在しない平坦部（凹部）とされている例について説明した。しかしながら、中央部と端部との間の境界部の構成は上記の境界部Ｂに限られず適宜変更可能である。中央部の長手方向の中央に位置する基準線の構成についても基準線Ａに限られず適宜変更可能である。
【００５２】
また、前述の実施形態では、長手方向Ｄ１及び幅方向Ｄ２の双方に対して斜めに延びる第１パイル部４１、第２パイル部４２、第１パイル部５１及び第２パイル部５２について説明した。しかしながら、第１パイル部及び第２パイル部の延在方向は、前述の実施形態に限られず適宜変更可能である。例えば、第１パイル部及び第２パイル部４２の少なくともいずれかが長手方向及び幅方向のいずれかに一致していてもよい。
【００５３】
（実施例）
続いて、本開示の実施例について説明する。なお、本発明は、以下の実施例に限定されない。この実施例の実験では、図５に示される実験装置７０を用いて髪拭きタオルの吸水性を測定する実験を行った。実験装置７０は、髪拭きタオルを上から押圧する押圧部材７１と、髪拭きタオルの下側に設けられる環状部材７２と、環状部材７２の下側に設けられるガラスろ過板７３と、ガラスろ過板７３の下側において収容される水Ｗとを有する。環状部材７２には直径２０ｍｍの孔が形成されている。押圧部材７１によって髪拭きタオルを環状部材７２に押し付けると、ガラスろ過板７３及び環状部材７２の孔から水Ｗが髪拭きタオルに進入し、このときの髪拭きタオルの吸水性を測定した。
【００５４】
髪拭きタオルとしては、実施例１に係る髪拭きタオル１、及び比較例１に係る髪拭きタオルのそれぞれを用いた。実施例１に係る髪拭きタオル１としては片面に長い第１パイル部４１及び第２パイル部４を有する中央部１０を用いた。なお、実施例１の髪拭きタオル１の糸としては、西川株式会社製のパフィールコットン（登録商標）を用いた。
【００５５】
比較例１に係る髪拭きタオルは、表裏両面にパイル部が形成された髪拭きタオルであり、比較例１の髪拭きタオルの糸としてはパフィールコットンを用いた。なお、比較例１の髪拭きタオルのパイル部は、実施例１の髪拭きタオル１の第１パイル部４１よりも短い。
【００５６】
以上の実施例１及び比較例１の各髪拭きタオルを直径６０ｍｍの円形に切り取って環状部材７２の上に載せ、押圧部材７１で各髪拭きタオルを６０秒間押し付けた状態として各髪拭きタオルへの水Ｗの吸水量を測定した。この測定の結果を以下の表１に示す。
【表１】
2020174746.tif 000003
【００５７】
表１に示されるように、長い第１パイル部４１を有する実施例１では、長いパイル部を有しない比較例１と比較して、明らかに高い吸水性が得られることが分かった。具体的には、実施例１は比較例１の２．１９倍の高い吸水性が得られ、片面に長いパイル部を有する実施例１では、両面に短いパイル部を有する比較例１よりも顕著に高い吸水性が得られることが分かった。
【符号の説明】
【００５８】
１…髪拭きタオル、２…長辺、２ａ，２ｂ…辺、３…短辺、１０…中央部、２０…端部、３１…第１面、３２…第２面、４１…第１パイル部、４２…第２パイル部、４３…部分、５１…第１パイル部、５２…第２パイル部、７０…実験装置、７１…押圧部材、７２…環状部材、７３…ガラスろ過板、Ａ…基準線、Ｂ…境界部、Ｃ…中央、Ｄ１…長手方向、Ｄ２…幅方向、Ｍ…使用者、Ｍ１…髪、Ｍ２…指、Ｔ１，Ｔ２，Ｔ３，Ｔ４…糸、Ｗ…水、Ｗ１，Ｗ３，Ｗ４，Ｗ５，Ｗ６…幅。
【図１】
2020174746.tif 000004
【図２】
2020174746.tif 000005
【図３】
2020174746.tif 000006
【図４】
2020174746.tif 000007
【図５】
2020174746.tif 000008